(57)【要約】【課題】電磁誘導コイルの下面を直接冷却風により冷却できるようにし、もって冷却効率の向上を図る。【解決手段】誘導加熱式調理器において、コイルダイ９上に内周側および外周側ＩＨコイル４Ａ，４Ｂを支持するとともに、前記コイルダイ９に、前記内周側ＩＨコイル４Ａと外周側ＩＨコイル４Ｂとの間に位置する閉塞部９ａと、前記内周側および外周側ＩＨコイル４Ａ，４Ｂに対応する開放部９ｂＡ，９ｂＢとを設けて、コイルダイ９に支持されている内周側および外周側ＩＨコイル４Ａ，４Ｂの下面を、開放部９ｂＡ，９ｂＢを介して冷却ファン２２からの冷却風Ｗによって直接冷却し得るようにしている。【選択図】        図３
2004355909.tif 000002
【特許請求の範囲】
【請求項１】
調理容器が載置される天面プレートを有し且つ前記調理容器を誘導加熱する電磁誘導コイルを内部に有する本体と、前記天面プレートの下方に位置して前記電磁誘導コイルを支持するコイルダイと、前記本体内に配設された制御基板を冷却すべく設けられた冷却ファンとを備えた誘導加熱式調理器であって、前記電磁誘導コイルを、前記コイルダイ上において内周側および外周側に位置する内周側および外周側電磁誘導コイルにより構成するとともに、前記コイルダイには、前記内周側電磁誘導コイルと外周側電磁誘導コイルとの間に位置する閉塞部と、前記内周側および外周側電磁誘導コイルに対応する開放部とを設けたことを特徴とする誘導加熱式調理器。
【請求項２】
前記コイルダイには、前記冷却ファンからの冷却風が前記内周側および外周側電磁誘導コイルの上面に沿って流れる冷却風通路を形成したことを特徴とする前記請求項１記載の誘導加熱式調理器。
【請求項３】
前記コイルダイの中心部には、前記調理容器の温度を検出するための温度検出手段を設けるとともに、前記冷却風通路における冷却風導入口および冷却風排出口を、前記コイルダイにおける前記温度検出手段と前記内周側電磁誘導コイルとの間および前記コイルダイの外周部に設けたことを特徴とする前記請求項２記載の誘導加熱式調理器。
【請求項４】
前記冷却風通路における冷却風導入口および冷却風排出口を、前記コイルダイの外周部における相対向した位置に設けたことを特徴とする前記請求項２記載の誘導加熱式調理器。
【請求項５】
前記開放部の口縁適所には、下向きの突起を一体に形成したことを特徴とする前記請求項１、２、３および４のいずれか一項記載の誘導加熱式調理器。
【発明の詳細な説明】
【０００１】
【発明の属する技術分野】
本願発明は、電磁誘導コイルを加熱源とする誘導加熱式調理器に関するものである。
【０００２】
【従来の技術】
調理容器が載置される天面プレートを有し且つ前記調理容器を誘導加熱する電磁誘導コイルを内部に有する本体と、前記天面プレートの下方に位置して前記電磁誘導コイルを支持するコイルダイと、前記本体内に配設された制御基板を冷却すべく設けられた冷却ファンとを備えた誘導加熱式調理器は従来からよく知られている。
【０００３】
上記のような構成の誘導加熱式調理器において、電磁誘導コイルを、コイルダイ上において内周側および外周側に位置する内周側および外周側電磁誘導コイルにより構成し、これらの内周側および外周側電磁誘導コイルの間の巻線中間部に通気穴を形成し、該通気穴に冷却ファンからの冷却風をコイルダイにおいて該通気穴と対応して形成された通気口を介して供給することにより、内周側および外周側電磁誘導コイルを冷却するようにしたものが提案されている（例えば、特許文献１参照）。
【０００４】
【特許文献１】
特公平７−１１９８３号公報（第２頁、第１図）。
【０００５】
【発明が解決しようとする課題】
上記特許文献１に開示されている誘導加熱式調理器の場合、電磁誘導コイルの下面がコイルダイに覆われているため、冷却ファンからの冷却風は、通気口および通気穴を介して電磁誘導コイルの上面側に導入され、電磁誘導コイルの上面側のみが冷却されることとなっている。従って、冷却風による冷却は、電磁誘導コイルの片面のみとなり、冷却効率が悪いという不具合があった。
【０００６】
本願発明は、上記の点に鑑みてなされたもので、電磁誘導コイルの下面を直接冷却風により冷却できるようにし、もって冷却効率の向上を図ることを目的とするものである。
【０００７】
【課題を解決するための手段】
本願発明では、上記課題を解決するための第１の手段として、調理容器が載置される天面プレートを有し且つ前記調理容器を誘導加熱する電磁誘導コイルを内部に有する本体と、前記天面プレートの下方に位置して前記電磁誘導コイルを支持するコイルダイと、前記本体内に配設された制御基板を冷却すべく設けられた冷却ファンとを備えた誘導加熱式調理器において、前記電磁誘導コイルを、前記コイルダイ上において内周側および外周側に位置する内周側および外周側電磁誘導コイルにより構成するとともに、前記コイルダイに、前記内周側電磁誘導コイルと外周側電磁誘導コイルとの間に位置する閉塞部と、前記内周側および外周側電磁誘導コイルに対応する開放部とを設けている。
【０００８】
上記のように構成したことにより、コイルダイに支持されている内周側および外周側電磁誘導コイルの下面が、開放部を介して露出されることとなり、冷却ファンからの冷却風によって内周側および外周側電磁誘導コイルの下面が直接冷却されることとなる。従って、冷却ファンに近い電磁誘導コイルの下面が積極的に冷却されることとなり、冷却効率が大幅に向上する。
【０００９】
本願発明では、さらに、上記課題を解決するための第２の手段として、上記第１の手段を備えた誘導加熱式調理器において、前記コイルダイに、前記冷却ファンからの冷却風が前記内周側および外周側電磁誘導コイルの上面に沿って流れる冷却風通路を形成することもでき、そのようにした場合、冷却ファンからの冷却風は、内周側および外周側電磁誘導コイルの上面に沿う冷却風通路を流れることとなり、内周側および外周側電磁誘導コイルは、上下両面において冷却風との接触により冷却されることとなる。従って、冷却効率がさらに向上することとなる。
【００１０】
本願発明では、さらに、上記課題を解決するための第３の手段として、上記第２の手段を備えた誘導加熱式調理器において、前記コイルダイの中心部に、前記調理容器の温度を検出するための温度検出手段を設けるとともに、前記冷却風通路における冷却風導入口および冷却風排出口を、前記コイルダイにおける前記温度検出手段と前記内周側電磁誘導コイルとの間および前記コイルダイの外周部に設けることもでき、そのようにした場合、コイルダイにおける温度検出手段と内周側電磁誘導コイルとの間に設けられた冷却風導入口からコイルダイの外周部に設けられた冷却風排出口に至る冷却風通路を冷却ファンからの冷却風が流れることとなり、スムーズな冷却風の流れが得られる。
【００１１】
本願発明では、さらに、上記課題を解決するための第４の手段として、上記第２の手段を備えた誘導加熱式調理器において、前記冷却風通路における冷却風導入口および冷却風排出口を、前記コイルダイの外周部における相対向した位置に設けることもでき、そのようにした場合、コイルダイの外周部における相対向した位置に設けられた冷却風導入口から冷却風排出口に至る冷却風通路を冷却ファンからの冷却風が流れることとなり、本体内の一側に冷却ファンを配設した場合において、スムーズな冷却風の流れが得られる。
【００１２】
本願発明では、さらに、上記課題を解決するための第５の手段として、上記第１、第２、第３又は第４の手段を備えた誘導加熱式調理器において、前記開放部の口縁適所に、下向きの突起を一体に形成することもでき、そのようにした場合、冷却ファンからの冷却風が突起に衝突して開放部側に反転することとなり、電磁誘導コイルの下面側へ冷却風が誘導され易くなって、冷却効率がより一層向上する。
【００１３】
【発明の実施の形態】
以下、添付の図面を参照して、本願発明の好適な実施の形態について詳述する。
【００１４】
この誘導加熱式調理器は、図１ないし図３に示すように、調理容器２が載置される天面プレート３を有し且つ前記調理容器２を誘導加熱する電磁誘導コイル（以下、ＩＨコイルという）４Ａ，４Ｂを内部に有する本体１と、該ＩＨコイル４Ａ，４Ｂの下方に位置して該ＩＨコイル４Ａ，４Ｂの磁界の下方への伝搬を遮断するフェライトコア５，５・・と、前記調理容器２の温度を検出する温度検出手段として作用する温度センサー６とを備えて構成されている。符号２ａは調理容器２の底部に設けられた発熱体部、７は合成樹脂製の底ケースである。
【００１５】
前記本体１の外郭部材８は、前記ＩＨコイル４Ａ，４Ｂを支持するためのコイルダイ９および前記フェライトコア５を支持するためのコアダイ１０とともに合成樹脂の一体成形品により構成されており、その側周部は、下方に向かうに従って径が大きくなる袴部８ａとされている。該袴部８ａの外周には、金属製（例えば、ステンレス製）の外ケース１１が取り付けられている。前記コイルダイ９およびコアダイ１０は、前記外郭部材８における袴部８ａの上端部に対して連結部１４を介して一体に連結されている。
【００１６】
前記コイルダイ９は、上方が開放され、下面に６本のコアダイ１０，１０・・を放射状に設けてなっており、該コイルダイ９上には、内周側および外周側に位置する内周側および外周側ＩＨコイル４Ａ，４Ｂが配設されている。また、該コイルダイ９には、前記内周側ＩＨコイル４Ａと外周側ＩＨコイル４Ｂとの間に位置する閉塞部９ａと、前記内周側および外周側ＩＨコイル４Ａ，４Ｂに対応する開放部９ｂＡ，９ｂＢとが設けられている。
【００１７】
また、前記コイルダイ９の中央部には、前記温度センサー６を含むセンサーユニット１２が取り付けられている。該センサーユニット１２は、前記温度センサー６と、該温度センサー６を上下動可能に支持するセンサー支持具１８と、該センサー支持具１８を取り付けるためのセンサー支持筒１９とを備えており、前記温度センサー６は、前記天面プレート３の中心部に形成されたセンサー穴２０に臨まされている。このようにすると、外郭部材８と一体構成のコイルダイ９を温度センサー６の取付部材として利用できることとなり、さらなる部品点数および組付工数の低減を図り得ることとなる。また、前記センサー支持筒１９は、前記センサー支持具１８が取り付けられる大径筒部１９ａと、該大径筒部１９ａの下端から一体に延設されてリード線（図示省略）等のガイド部となる小径筒部１９ｂとからなっており、該小径筒部１９ｂは、前記本体１の内底部に配設された制御基板２１を貫通している。このようにすると、リード線等の配索が容易となるとともに、制御基板２１を切除する部分が可及的に小さくできることとなる。
【００１８】
前記外郭部材８の側周部（即ち、袴部８ａ）には、操作パネル部２７を取り付けるための切欠部２８が形成されている。本実施の形態においては、操作パネル部２７は、底ケース７の一部をも構成している。このようにすると、外郭部材８を操作パネル部２７の位置決め部材として利用できることとなり、構造の簡略化を図ることができる。
【００１９】
前記本体１内には、前記操作パネル部２７の反対側の一側に位置して前記制御基板２１を冷却すべく冷却ファン２２が配設されている。符号２３はヒートシンクである。
【００２０】
そして、前記コイルダイ９には、前記冷却ファン２２からの冷却風Ｗが前記内周側および外周側ＩＨコイル４Ａ，４Ｂの上面に沿って流れる冷却風通路２４が形成されている。該冷却風通路２４における冷却風導入口２４ａおよび冷却風排出口２４ｂは、前記コイルダイ９における前記温度センサー６と前記内周側ＩＨコイル４Ａとの間および前記コイルダイ９の外周部に設けられている。つまり、図３に示すように、コイルダイ９における温度センサー６と内周側ＩＨコイル４Ａとの間に設けられた冷却風導入口２４ａからコイルダイ９の外周部に設けられた冷却風排出口２４ｂに至る冷却風通路２４を冷却ファン２２からの冷却風Ｗが流れることとなるのである。
【００２１】
また、本実施の形態においては、前記コイルダイ９における開放部９ｂＡ，９ｂＢの口縁適所には、下向きの突起２９Ａ，２９Ｂが一体に形成されている。該突起２９Ａ，２９Ｂは、冷却ファン２２からの冷却風Ｗを衝突させることにより開放部９ｂ側に反転させ、ＩＨコイル４Ａ，４Ｂの下面側へ冷却風Ｗを誘導することとなっている。従って、冷却ファン２２からの冷却風Ｗが衝突する位置に形成される。例えば、図５に示すように、内周側ＩＨコイル４Ａが臨む開放部９ｂＡの口縁に形成される突起２９Ａと外周側ＩＨコイル４Ｂが臨む開放部９ｂＢの口縁に形成される突起２９Ｂとは冷却風Ｗの流れ方向において重複しない位置に形成されるのが、冷却風Ｗを内周側および外周側ＩＨコイル４Ａ，４Ｂのどちらにも分散させることができるので望ましい。また、冷却ファン２２を本体１内における一側に配設する場合には、冷却ファン２２から遠い側（換言すれば、温度センサー６より遠い側）においては、（突起２９Ａの高さ＜突起２９Ｂの高さ）とされ、冷却ファン２２に近い側（換言すれば、温度センサー６より近い側）においては、（突起２９Ａの高さ＞突起２９Ｂの高さ）とするのが、冷却風Ｗを内周側および外周側ＩＨコイル４Ａ，４Ｂのどちらにも分散させることができるので望ましい。
【００２２】
上記のように構成したことにより、コイルダイ９に支持されている内周側および外周側ＩＨコイル４Ａ，４Ｂの下面が、開放部９ｂＡ，９ｂＢを介して露出されることとなり、冷却ファン２２からの冷却風Ｗによって内周側および外周側ＩＨコイル４Ａ，４Ｂの下面が直接冷却されることとなる。従って、冷却ファン２２に近いＩＨコイル４Ａ，４Ｂの下面が積極的に冷却されることとなり、冷却効率が大幅に向上する。しかも、冷却ファン２２からの冷却風Ｗは、内周側および外周側ＩＨコイル４Ａ，４Ｂの上面に沿う冷却風通路２４をも流れることとなっているため、内周側および外周側ＩＨコイル４Ａ，４Ｂは、上下両面において冷却風Ｗとの接触により冷却されることとなる。従って、冷却効率がさらに向上することとなる。
【００２３】
さらに、本実施の形態においては、コイルダイ９における開放部９ｂＡ，９ｂＢの口縁適所に下向きの突起２９Ａ，２９Ｂを一体に形成するようにしているので、冷却ファン２２からの冷却風Ｗが突起２９Ａ，２９Ｂに衝突して開放部９ｂＡ，９ｂＢ側に反転することとなり、ＩＨコイル４Ａ，４Ｂの下面側へ冷却風Ｗが誘導され易くなる。従って、冷却効率がより一層向上する。
【００２４】
ところで、本体１内の一側に冷却ファン２２を配設した場合においては、冷却風通路２４における冷却風導入口２４ａおよび冷却風排出口２４ｂを、コイルダイ９の外周部における相対向した位置に設け、冷却ファン２２に近い方を冷却風導入口２４ａとし、遠い方を冷却風排出口２４ｂとすることもできる。
【００２５】
【発明の効果】
本願発明の第１の手段によれば、調理容器が載置される天面プレートを有し且つ前記調理容器を誘導加熱する電磁誘導コイルを内部に有する本体と、前記天面プレートの下方に位置して前記電磁誘導コイルを支持するコイルダイと、前記本体内に配設された制御基板を冷却すべく設けられた冷却ファンとを備えた誘導加熱式調理器において、前記電磁誘導コイルを、前記コイルダイ上において内周側および外周側に位置する内周側および外周側電磁誘導コイルにより構成するとともに、前記コイルダイに、前記内周側電磁誘導コイルと外周側電磁誘導コイルとの間に位置する閉塞部と、前記内周側および外周側電磁誘導コイルに対応する開放部とを設けて、コイルダイに支持されている内周側および外周側電磁誘導コイルの下面が、開放部を介して露出され、冷却ファンからの冷却風によって内周側および外周側電磁誘導コイルの下面が直接冷却されるようにしたので、冷却ファンに近い電磁誘導コイルの下面が積極的に冷却されることとなり、冷却効率が大幅に向上するという効果がある。
【００２６】
本願発明の第２の手段におけるように、上記第１の手段を備えた誘導加熱式調理器において、前記コイルダイに、前記冷却ファンからの冷却風が前記内周側および外周側電磁誘導コイルの上面に沿って流れる冷却風通路を形成することもでき、そのようにした場合、冷却ファンからの冷却風は、内周側および外周側電磁誘導コイルの上面に沿う冷却風通路を流れることとなり、内周側および外周側電磁誘導コイルは、上下両面において冷却風との接触により冷却されることとなる。従って、冷却効率がさらに向上することとなる。
【００２７】
本願発明の第３の手段におけるように、上記第２の手段を備えた誘導加熱式調理器において、前記コイルダイの中心部に、前記調理容器の温度を検出するための温度検出手段を設けるとともに、前記冷却風通路における冷却風導入口および冷却風排出口を、前記コイルダイにおける前記温度検出手段と前記内周側電磁誘導コイルとの間および前記コイルダイの外周部に設けることもでき、そのようにした場合、コイルダイにおける温度検出手段と内周側電磁誘導コイルとの間に設けられた冷却風導入口からコイルダイの外周部に設けられた冷却風排出口に至る冷却風通路を冷却ファンからの冷却風が流れることとなり、スムーズな冷却風の流れが得られる。
【００２８】
本願発明の第４の手段におけるように、上記第２の手段を備えた誘導加熱式調理器において、前記冷却風通路における冷却風導入口および冷却風排出口を、前記コイルダイの外周部における相対向した位置に設けることもでき、そのようにした場合、コイルダイの外周部における相対向した位置に設けられた冷却風導入口から冷却風排出口に至る冷却風通路を冷却ファンからの冷却風が流れることとなり、本体内の一側に冷却ファンを配設した場合において、スムーズな冷却風の流れが得られる。
【００２９】
本願発明の第５の手段におけるように、上記第１、第２、第３又は第４の手段を備えた誘導加熱式調理器において、前記開放部の口縁適所に、下向きの突起を一体に形成することもでき、そのようにした場合、冷却ファンからの冷却風が突起に衝突して開放部側に反転することとなり、電磁誘導コイルの下面側へ冷却風が誘導され易くなって、冷却効率がより一層向上する。
【図面の簡単な説明】
【図１】本願発明の実施の形態にかかる誘導加熱式調理器の平面図である。
【図２】図１のＩＩ−ＩＩ断面図である。
【図３】本願発明の実施の形態にかかる誘導加熱式調理器の要部拡大断面図である。
【図４】図２のＩＶ−ＩＶ断面図である。
【図５】本願発明の実施の形態にかかる誘導加熱式調理器の要部拡大斜視図である。
【符号の説明】
１は本体、２は調理容器、３は天面プレート、４Ａは内周側電磁誘導コイル（内周側ＩＨコイル）、４Ｂは外周側電磁誘導コイル（外周側ＩＨコイル）、５はフェライトコア、６は温度検出手段（温度センサー）、９はコイルダイ、９ａは閉塞部、９ｂＡ，９ｂＢは開放部、１０はコアダイ、２２は冷却ファン、２４は冷却風通路、２４ａは冷却風導入口、２４ｂは冷却風排出口、２９Ａ，２９Ｂは突起、Ｗは冷却風。
【図１】
2004355909.tif 000003
【図２】
2004355909.tif 000004
【図３】
2004355909.tif 000005
【図４】
2004355909.tif 000006
【図５】
2004355909.tif 000007